(57)【要約】 【課題】補助データを多重したデジタルビデオ信号をダウンコンバートした後にも、元の補助データを継承できるようにする。【解決手段】入力したデジタルビデオ信号から、そのデジタルビデオ信号の補助データ領域に多重されている補助データを抽出する抽出手段２２と、抽出手段２２によって抽出された補助データを記憶する記憶手段２３と、抽出手段２２によって補助データを抽出されたデジタルビデオ信号をダウンコンバートするダウンコンバータ２４と、ダウンコンバータ２４によってダウンコンバートされたデジタルビデオ信号のこの補助データ領域に、記憶手段２３から読み出された補助データを多重する多重手段２８及び２９とを備える。【選択図】図４
2007318647.tif 000002
【特許請求の範囲】
【請求項１】
入力したデジタルビデオ信号から、該デジタルビデオ信号の補助データ領域に多重されている補助データを抽出する抽出手段と、
前記抽出手段によって抽出された補助データを記憶する記憶手段と、
前記抽出手段によって補助データを抽出されたデジタルビデオ信号をダウンコンバートするダウンコンバータと、
前記ダウンコンバータによってダウンコンバートされたデジタルビデオ信号の前記補助データ領域に、前記記憶手段から読み出された補助データを多重する多重手段と
を備えたことを特徴とする補助データの再多重装置。
【請求項２】
請求項１に記載の補助データの再多重装置において、
前記抽出手段は、前記補助データ領域のうち補助データを抽出した箇所にブランキング処理を施す
ことを特徴とする補助データの再多重装置。
【請求項３】
請求項１に記載の補助データの再多重装置において、
上位の装置による設定に基づき、補助データの修正を指示する制御手段と、
前記制御手段からの指示に応じて、前記記憶手段から読み出された補助データを修正する修正手段と
をさらに備え、
前記多重手段には、前記修正手段を介して補助データが供給される
ことを特徴とする補助データの再多重装置。
【請求項４】
請求項１に記載の補助データの再多重装置において、
上位の装置による設定に基づき、前記補助データ領域のうち補助データを多重する箇所を指定する制御手段
をさらに備え、
前記多重手段は、前記ダウンコンバータによってダウンコンバートされたデジタルビデオ信号の前記補助データ領域のうち、前記制御手段によって指定された箇所に、前記記憶手段から読み出された補助データを多重する
ことを特徴とする補助データの再多重装置。
【請求項５】
請求項１に記載の補助データの再多重装置において、
ＨＤ−ＳＤＩ信号が入力し、
前記抽出手段は、ＨＤ−ＳＤＩ信号の垂直ブランキング区間内の補助データ領域に多重されている補助データを抽出し、
前記ダウンコンバータは、ＨＤ−ＳＤＩ信号をＳＤ−ＳＤＩ信号にダウンコンバートする
ことを特徴とする補助データの再多重装置。
【請求項６】
入力したデジタルビデオ信号から、該デジタルビデオ信号の補助データ領域に多重されている補助データを抽出する抽出手段と、
前記抽出手段によって抽出された補助データを記憶する記憶手段と、
前記抽出手段によって補助データを抽出されたデジタルビデオ信号をアップコンバートするアップコンバータと、
前記アップコンバータによってアップコンバートされたデジタルビデオ信号の前記補助データ領域に、前記記憶手段から読み出された補助データを多重する多重手段と
を備えたことを特徴とする補助データの再多重装置。
【請求項７】
請求項６に記載の補助データの再多重装置において、
前記抽出手段は、前記補助データ領域のうち補助データを抽出した箇所にブランキング処理を施す
ことを特徴とする補助データの再多重装置。
【請求項８】
請求項６に記載の補助データの再多重装置において、
上位の装置による設定に基づき、補助データの修正を指示する制御手段と、
前記制御手段からの指示に応じて、前記記憶手段から読み出された補助データを修正する修正手段と
をさらに備え、
前記多重手段には、前記修正手段を介して補助データが供給される
ことを特徴とする補助データの再多重装置。
【請求項９】
請求項６に記載の補助データの再多重装置において、
上位の装置による設定に基づき、前記補助データ領域のうち補助データを多重する箇所を指定する制御手段
をさらに備え、
前記多重手段は、前記アップコンバータによってアップコンバートされたデジタルビデオ信号の前記補助データ領域のうち、前記制御手段によって指定された箇所に、前記記憶手段から読み出された補助データを多重する
ことを特徴とする補助データの再多重装置。
【請求項１０】
請求項６に記載の補助データの再多重装置において、
ＳＤ−ＳＤＩ信号が入力し、
前記抽出手段は、ＳＤ−ＳＤＩ信号の垂直ブランキング区間内の補助データ領域に多重されている補助データを抽出し、
前記アップコンバータは、ＳＤ−ＳＤＩ信号をＨＤ−ＳＤＩ信号にアップコンバートする
ことを特徴とする補助データの再多重装置。
【請求項１１】
それぞれデジタルビデオ信号を入力する複数の入力部と、
それぞれデジタルビデオ信号を出力する複数の出力部と、
デジタルビデオ信号を記録する記録部と
を有し、各々の前記入力部に入力したデジタルビデオ信号を前記記録部に記録し、前記記録部から再生されたデジタルビデオ信号をいずれかの前記出力部から出力するビデオサーバーにおいて、
少なくとも１つの前記出力部に、
前記記録部から再生されたデジタルビデオ信号から、該デジタルビデオ信号の補助データ領域に多重されている補助データを抽出する抽出手段と、
前記抽出手段によって抽出された補助データを記憶する記憶手段と、
前記抽出手段によって補助データを抽出されたデジタルビデオ信号をダウンコンバートするダウンコンバータと、
前記ダウンコンバータによってダウンコンバートされたデジタルビデオ信号の前記補助データ領域に、前記記憶手段から読み出された補助データを多重する多重手段と
を備えたことを特徴とするビデオサーバー。
【請求項１２】
請求項１１に記載のビデオサーバーにおいて、
前記抽出手段は、前記補助データ領域のうち補助データを抽出した箇所にブランキング処理を施す
ことを特徴とするビデオサーバー。
【請求項１３】
請求項１１に記載のビデオサーバーにおいて、
上位の装置による設定に基づき、補助データの修正を指示する制御手段と、
前記制御手段からの指示に応じて、前記記憶手段から読み出された補助データを修正する修正手段と
をさらに備え、
前記多重手段には、前記修正手段を介して補助データが供給される
ことを特徴とするビデオサーバー。
【請求項１４】
請求項１１に記載のビデオサーバーにおいて、
上位の装置による設定に基づき、前記補助データ領域のうち補助データを多重する箇所を指定する制御手段
をさらに備え、
前記多重手段は、前記ダウンコンバータによってダウンコンバートされたデジタルビデオ信号の前記補助データ領域のうち、前記制御手段によって指定された箇所に、前記記憶手段から読み出された補助データを多重する
ことを特徴とするビデオサーバー。
【請求項１５】
請求項１１に記載のビデオサーバーにおいて、
少なくとも１つの前記入力部にＨＤ−ＳＤＩ信号が入力し、
前記抽出手段は、前記記録部から再生されたＨＤ−ＳＤＩ信号の垂直ブランキング区間内の補助データ領域に多重されている補助データを抽出し、
前記ダウンコンバータは、ＨＤ−ＳＤＩ信号をＳＤ−ＳＤＩ信号にダウンコンバートする
ことを特徴とするビデオサーバー。
【請求項１６】
それぞれデジタルビデオ信号を入力する複数の入力部と、
それぞれデジタルビデオ信号を出力する複数の出力部と、
デジタルビデオ信号を記録する記録部と
を有し、各々の前記入力部に入力したデジタルビデオ信号を前記記録部に記録し、前記記録部から再生されたデジタルビデオ信号をいずれかの前記出力部から出力するビデオサーバーにおいて、
少なくとも１つの前記出力部に、
前記記録部から再生されたデジタルビデオ信号から、該デジタルビデオ信号の補助データ領域に多重されている補助データを抽出する抽出手段と、
前記抽出手段によって抽出された補助データを記憶する記憶手段と、
前記抽出手段によって補助データを抽出されたデジタルビデオ信号をアップコンバートするアップコンバータと、
前記アップコンバータによってアップコンバートされたデジタルビデオ信号の前記補助データ領域に、前記記憶手段から読み出された補助データを多重する多重手段と
を備えたことを特徴とするビデオサーバー。
【請求項１７】
請求項１６に記載のビデオサーバーにおいて、
前記抽出手段は、前記補助データ領域のうち補助データを抽出した箇所にブランキング処理を施す
ことを特徴とするビデオサーバー。
【請求項１８】
請求項１６に記載のビデオサーバーにおいて、
上位の装置による設定に基づき、補助データの修正を指示する制御手段と、
前記制御手段からの指示に応じて、前記記憶手段から読み出された補助データを修正する修正手段と
をさらに備え、
前記多重手段には、前記修正手段を介して補助データが供給される
ことを特徴とするビデオサーバー。
【請求項１９】
請求項１６に記載のビデオサーバーにおいて、
上位の装置による設定に基づき、前記補助データ領域のうち補助データを多重する箇所を指定する制御手段
をさらに備え、
前記多重手段は、前記アップコンバータによってアップコンバートされたデジタルビデオ信号の前記補助データ領域のうち、前記制御手段によって指定された箇所に、前記記憶手段から読み出された補助データを多重する
ことを特徴とするビデオサーバー。
【請求項２０】
請求項１６に記載のビデオサーバーにおいて、
少なくとも１つの前記入力部にＳＤ−ＳＤＩ信号が入力し、
前記抽出手段は、前記記録部から再生されたＳＤ−ＳＤＩ信号の垂直ブランキング区間内の補助データ領域に多重されている補助データを抽出し、
前記アップコンバータは、ＳＤ−ＳＤＩ信号をＨＤ−ＳＤＩ信号にアップコンバートする
ことを特徴とするビデオサーバー。
【発明の詳細な説明】
【技術分野】
【０００１】
本発明は、補助データを多重したデジタルビデオ信号をダウンコンバートしたりアップコンバートした後も、その補助データが継承されるようにした再多重装置に関する。また本発明は、そうした再多重装置を搭載したビデオサーバーに関する。
【背景技術】
【０００２】
テレビジョン放送局用の収録・送出サーバーとして、ビデオサーバーが普及している。ビデオサーバーは、一般に、ＳＤＩ（Serial Digital Interface）のような同期系の伝送フォーマットでデジタルビデオ信号を入出力する入出力部を複数有している。
【０００３】
外部（放送局内のＶＴＲや、放送局と広域ネットワークで結ばれた取材現場のビデオカメラ等）からビデオサーバーに送られたデジタルビデオ信号は、それぞれいずれかの入力部に入力し、その入力部で圧縮処理等を施される。この圧縮処理等を施されたビデオデータは、ハードディスクユニットのような記録部に記録される。
【０００４】
また、この記録部から再生されていずれかの出力部に送られた圧縮ビデオデータは、その出力部で伸長処理等を施される。そして、その出力部から出力されて、ビデオサーバーから外部（オンエア用サーバーやバックアップ用サーバー等）に送られる。
【０００５】
今日のテレビジョン放送では、ＨＤ(High Definition)ＴＶ放送とＳＤ(Standard Definition)ＴＶ放送とが混在している。そのため、ビデオサーバーも、ＨＤＴＶ信号とＳＤＴＶ信号との両方（ＳＤＩの場合には、ＳＭＰＴＥ２９２Ｍとして規定されている伝送フォーマットであるＨＤ−ＳＤＩと、ＳＭＰＴＥ２５９Ｍとして規定されている伝送フォーマットであるＳＤ−ＳＤＩとの両方）を入力して記録できるようにしたものが主流になっている。
【０００６】
そして、近年は、ビデオサーバーに記録したＨＤ−ＳＤＩ信号を、そのままＨＤ−ＳＤＩ信号として出力するだけでなくＳＤ−ＳＤＩ信号にダウンコンバートして出力したり、あるいは逆に、ビデオサーバーに記録したＳＤ−ＳＤＩ信号を、そのままＳＤ−ＳＤＩ信号として出力するだけでなくＨＤ−ＳＤＩ信号にアップコンバートして出力したいというニーズが高くなっている。
【０００７】
ところが、ＨＤ−ＳＤＩやＳＤ−ＳＤＩの伝送フォーマットでは、垂直ブランキング区間内に、補助（Ancillary）データの領域が設けられている。この領域に格納される補助データは、ＶＢＩ（Vertical Blanking Interval）データとも呼ばれる。（例えば、特許文献１参照。）下記の（１）〜（４）は、このＶＢＩデータの例である。
（１）ＳＭＰＴＥによって規定されている、素材の識別子であるＵＭＩＤ（Unique Material Identifier）
（２）ＳＭＰＴＥによって規定され、ＫＬＶ（Key-Length-Value）メタデータのひとつである“Term Value”を、“編集上重要なフレーム等のマーキング”に応用したもの。本出願人が「EssenceMarkＴＭ」と呼んでいる。なお、本出願人は、下記の論文を、「EssenceMarkＴＭ」を紹介する論文として公開している。
Yoshiaki Shibata, Takumi Yoshida and Mitsutoshi Shinkai,
"EssenceMark- SMPTE Standard-based Textual Video Marker -",
SMPTE Motion Imaging Journal, Vol.114, No.12, pp.463-473 (Dec 2005)
（３）ＡＲＩＢ（電波産業会）によって規定されている字幕データ等の補助データ
（４）北米で採用されている文字放送規格であるクローズドキャプション（Closed Caption）による文字データ
【０００８】
こうしたＶＢＩデータを多重したＨＤ−ＳＤＩ信号をダウンコンバートしたり、ＶＢＩデータを多重したＳＤ−ＳＤＩ信号をアップコンバートすると、ＶＢＩデータが破壊されてしまうので、ダウンコンバートした後のＳＤ−ＳＤＩ信号や、アップコンバートした後のＨＤ−ＳＤＩ信号で、元のＶＢＩデータを継承することができなくなる。
【０００９】
【特許文献１】特開２００３−１１５８２８号公報（段落番号０１１７〜０１３０、図８）
【発明の開示】
【発明が解決しようとする課題】
【００１０】
本発明は、上述の点に鑑み、補助データを多重したデジタルビデオ信号をダウンコンバートした後や、補助データを多重したデジタルビデオ信号をアップコンバートした後にも、元の補助データを継承できるようにすることを課題とする。
【課題を解決するための手段】
【００１１】
この課題を解決するために、本発明に係る補助データの再多重装置は、入力したデジタルビデオ信号から、そのデジタルビデオ信号の補助データ領域に多重されている補助データを抽出する抽出手段と、この抽出手段によって抽出された補助データを記憶する記憶手段と、この抽出手段によって補助データを抽出されたデジタルビデオ信号をダウンコンバートするダウンコンバータと、このダウンコンバータによってダウンコンバートされたデジタルビデオ信号のこの補助データ領域に、この記憶手段から読み出された補助データを多重する多重手段とを備えたことを特徴とする。
【００１２】
この補助データの再多重装置によれば、入力デジタルビデオ信号をダウンコンバートする前に、そのデジタルビデオ信号の補助データ領域に多重されている補助データを抽出する。そして、ダウンコンバートした後のデジタルビデオ信号に、その抽出した補助データを再多重する。これにより、補助データを多重したデジタルビデオ信号をダウンコンバートした後にも、元の補助データを継承することができる。
【００１３】
次に、別の本発明に係る補助データの再多重装置は、入力したデジタルビデオ信号から、そのデジタルビデオ信号の補助データ領域に多重されている補助データを抽出する抽出手段と、この抽出手段によって抽出された補助データを記憶する記憶手段と、この抽出手段によって補助データを抽出されたデジタルビデオ信号をアップコンバートするアップコンバータと、このアップコンバータによってアップコンバートされたデジタルビデオ信号のこの補助データ領域に、この記憶手段から読み出された補助データを多重する多重手段とを備えたことを特徴とする。
【００１４】
この補助データの再多重装置によれば、入力デジタルビデオ信号をアップコンバートする前に、そのデジタルビデオ信号の補助データ領域に多重されている補助データを抽出する。そして、アップコンバートした後のデジタルビデオ信号に、その抽出した補助データを再多重する。これにより、補助データを多重したデジタルビデオ信号をアップコンバートした後にも、元の補助データを継承することができる。
【００１５】
次に、本発明に係るビデオサーバーは、それぞれデジタルビデオ信号を入力する複数の入力部と、それぞれデジタルビデオ信号を出力する複数の出力部と、デジタルビデオ信号を記録する記録部とを有し、各々のこの入力部に入力したデジタルビデオ信号をこの記録部に記録し、この記録部から再生されたデジタルビデオ信号をいずれかのこの出力部から出力するビデオサーバーにおいて、少なくとも１つのこの出力部に、この記録部から再生されたデジタルビデオ信号から、そのデジタルビデオ信号の補助データ領域に多重されている補助データを抽出する抽出手段と、この抽出手段によって抽出された補助データを記憶する記憶手段と、この抽出手段によって補助データを抽出されたデジタルビデオ信号をダウンコンバートするダウンコンバータと、このダウンコンバータによってダウンコンバートされたデジタルビデオ信号のこの補助データ領域に、この記憶手段から読み出された補助データを多重する多重手段とを備えたことを特徴とする。
【００１６】
このビデオサーバーは、少なくとも１つの出力部に、前述の本発明に係る補助データの再多重装置を搭載したものであり、入力部に入力して記録部に記録したデジタルビデオ信号を、出力部でダウンコンバートして出力することができるとともに、入力したデジタルビデオ信号の補助データ領域に多重されている補助データを、ダウンコンバートした後のデジタルビデオ信号でも継承することができる。
【００１７】
次に、別の本発明に係るビデオサーバーは、それぞれデジタルビデオ信号を入力する複数の入力部と、それぞれデジタルビデオ信号を出力する複数の出力部と、デジタルビデオ信号を記録する記録部とを有し、各々のこの入力部に入力したデジタルビデオ信号をこの記録部に記録し、この記録部から再生されたデジタルビデオ信号をいずれかのこの出力部から出力するビデオサーバーにおいて、少なくとも１つのこの出力部に、この記録部から再生されたデジタルビデオ信号から、そのデジタルビデオ信号の補助データ領域に多重されている補助データを抽出する抽出手段と、この抽出手段によって抽出された補助データを記憶する記憶手段と、この抽出手段によって補助データを抽出されたデジタルビデオ信号をアップコンバートするアップコンバータと、このアップコンバータによってアップコンバートされたデジタルビデオ信号のこの補助データ領域に、この記憶手段から読み出された補助データを多重する多重手段とを備えたことを特徴とする。
【００１８】
このビデオサーバーは、少なくとも１つの出力部に、前述の本発明に係る補助データの再多重装置を搭載したものであり、入力部に入力して記録部に記録したデジタルビデオ信号を、出力部でアップコンバートして出力することができるとともに、入力したデジタルビデオ信号の補助データ領域に多重されている補助データを、アップコンバートした後のデジタルビデオ信号でも継承することができる。
【発明の効果】
【００１９】
本発明に係る補助データの再多重装置によれば、補助データを多重したデジタルビデオ信号をダウンコンバートした後や、補助データを多重したデジタルビデオ信号をアップコンバートした後にも、元の補助データを継承することができるという効果が得られる。
【００２０】
本発明に係るビデオサーバーによれば、入力部に入力して記録部に記録したデジタルビデオ信号を、出力部でダウンコンバートして出力することやアップコンバートして出力することができるとともに、入力したデジタルビデオ信号の補助データ領域に多重されている補助データを、ダウンコンバートした後のデジタルビデオ信号やアップコンバートした後のデジタルビデオ信号でも継承することができるという効果が得られる。
【発明を実施するための最良の形態】
【００２１】
次に、本発明の実施形態を、図面を用いて具体的に説明する。なお、以下では、ＨＤ−ＳＤＩ信号やＳＤ−ＳＤＩ信号を入出力するビデオサーバーに本発明を適用した例について説明することにする。
【００２２】
図１は、本発明を適用したビデオサーバーと、このビデオサーバーを制御する端末とから成るサーバーシステムの全体構成を示すブロック図である。このビデオサーバー１には、放送局内のＶＴＲや、放送局と広域ネットワークで結ばれた取材現場のビデオカメラ等（図示略）から、複数チャンネルのＨＤＴＶ信号やＳＤＴＶ信号が、ＳＤＩフォーマット（ＨＤＴＶ信号の場合にはＨＤ−ＳＤＩ、ＳＤＴＶ信号の場合にはＳＤ−ＳＤＩ）で送られる。
【００２３】
ビデオサーバー１は、複数の入力部及び出力部（後述する入力ボード及び出力ボード）を有しており、伝送された各チャンネルのＳＤＩ信号を、それぞれいずれかの入力部から入力して記録部（後述するハードディスクユニット）に記録する。
【００２４】
また、ビデオサーバー１は、この記録部から再生したビデオデータを、いずれかの出力部からＳＤＩ信号として出力して、オンエア用サーバーやバックアップ用サーバー等（図示略）に送る。
【００２５】
また、ビデオサーバー１は、ＴＣＰ／ＩＰプロトコルに則って高速ネットワーク（ギガビットイーサネット）３経由でもＡＶデータを送受信する。（ＥＴＨＥＲＮＥＴ＼イ−サネットは登録商標。）
【００２６】
制御端末２は、シリアル通信（ＲＳ−４２２Ａ）によってビデオサーバー１に制御信号を送る端末であり、例えばワークステーションまたはパーソナルコンピュータが用いられている。制御端末２では、各チャンネルのＳＤＩ信号をどの入力部や出力部を用いて入出力させるかを指定する操作や、入力部や出力部の動作を設定する操作が行われる。出力部の動作を設定する操作には、次の（ａ）〜（ｃ）の操作も含まれている。これらの操作による出力部の動作については、後で図４〜図７を用いて説明する。
（ａ）ＶＢＩデータの再多重処理のオン／オフの指定
（ｂ）ＶＢＩデータの修正
（ｃ）各ＶＢＩデータを再多重するラインの指定
【００２７】
図２は、ビデオサーバー１の内部構成を示すブロック図である。ビデオサーバー１には、複数の入出力ユニット４と、複数のハードディスクユニット５と、ネットワーク管理端末６と、ファイル管理端末７とが設けられている。
【００２８】
各入出力ユニット４は、それぞれ最大で合計６つの入力部及び出力部を有している。図１の制御端末２からは、これらの入出力ユニット４に前述の制御信号が送られる。
【００２９】
各ハードディスクユニット５は、ＲＡＩＤ（Redundant Arrays of Inexpensive Disks ）技術を採用したディスクアレイ装置である。各入出力ユニット４と各ハードディスクユニット５とは、高速シリアルインタフェースであるファイバーチャンネル（Fibre Channel）８により、ＦＣスイッチ９を介して互いに接続されている。
【００３０】
ネットワーク管理端末６は、図１の高速ネットワーク３経由でのＡＶデータの送受信を管理する端末であり、パーソナルコンピュータが用いられている。ネットワーク管理端末６も、ファイバーチャンネル８により、ＦＣスイッチ９を介して各ハードディスクユニット５に接続されている。
【００３１】
ファイル管理端末７は、各ハードディスクユニット５にファイルとして記録されたＡＶデータが、実際にハードディスク上のどの位置に書き込まれているかを管理する端末であり、パーソナルコンピュータが用いられている。各入出力ユニット４とファイル管理端末７とは、イーサネット１０によって互いに接続されている。
【００３２】
入出力ユニット４は、複数の基板を接続することによって構成されている。図３は、入出力ユニット４を構成する基板を示すブロック図である。最大で合計６枚の入力ボード１１及び出力ボード１２（図の例では３枚ずつの入力ボード１１（１）〜１１（３）及び出力ボード１２（１）〜１２（３））が、マザーボード１５に接続されている。各入力ボード１１，出力ボード１２は、入出力ユニット４の筐体に設けられたスロット（図示略）に挿入することにより、マザーボード１５に対して着脱可能に接続される。
【００３３】
各入力ボード１１は、それぞれ１チャンネルのＳＤＩ信号を入力する入力部としての役割を有しており、入力したＳＤＩ信号を、図２のハードディスクユニット５への記録用のビデオデータに圧縮（エンコード）する。入力ボード１１は、いずれかの１枚または２枚がＨＤ−ＳＤＩ信号を専用に入力するものであって残りの１枚がＳＤ−ＳＤＩ信号を専用に入力するものであってもよいし、あるいは、１枚１枚がＨＤ−ＳＤＩ信号入力用とＳＤ−ＳＤＩ信号入力用とに共用されるものであってもよい。
【００３４】
各出力ボード１２は、それぞれ１チャンネルのＳＤＩ信号を出力する出力部としての役割を有しており、ハードディスクユニット５から再生された圧縮ビデオデータを、ＳＤＩ信号に伸張（デコード）した後、ダウンコンバートまたはアップコンバートして出力する。出力ボード１２は、いずれかの１枚または２枚が、ＨＤ−ＳＤＩ信号の圧縮ビデオデータをＨＤ−ＳＤＩ信号に伸張した後ＳＤ−ＳＤＩ信号にダウンコンバートするための出力ボードであり、残りが、ＳＤ−ＳＤＩ信号の圧縮ビデオデータをＳＤ−ＳＤＩ信号に伸張した後ＨＤ−ＳＤＩ信号にアップコンバートするための出力ボードである。ここでは、出力ボード１２（１）及び１２（２）がダウンコンバート用の出力ボードであり、出力ボード１２（３）がアップコンバート用の出力ボードであるとして説明を続ける。
【００３５】
マザーボード１５には、さらに、メインＣＰＵ（図示略）を搭載したボード（メイン制御ボードと呼ぶことにする）１３と、ファイバーチャンネル用のインタフェース回路（図示略）を搭載したボード（ＦＣボードと呼ぶことにする）１４とが接続されている。
【００３６】
マザーボード１５は、各ボード１１〜１４内のＣＰＵ（図示略）を結ぶＣＰＵバス１６を有するとともに、各入力ボード１１，出力ボード１２とＦＣボードボード１４とを結ぶＳＢ（Serial Back-Plane）バス１７を有している。
【００３７】
図１の制御端末２からは、各入力ボード１１及び各出力ボード１２及びマザーボード１５を経由して、メイン制御ボード１３内のメインＣＰＵに前述の制御信号ｃが送られる。また、メイン制御ボード１３内のメインＣＰＵは、図２のイーサネット１０に接続されている。
【００３８】
ＦＣボード１４は、図２に示したように、ファイバーチャンネル８により、ＦＣスイッチ９を介して各ハードディスクユニット５に接続されている。
【００３９】
図４は、出力ボード１２（１）及び１２（２）（ダウンコンバート用の出力ボード）上の回路を示すブロック図である。出力ボード１２（１）及び１２（２）には、デコーダ２０と、タイミングジェネレータ２１と、ＶＢＩ検出・抽出部２２と、メモリー２３と、ダウンコンバータ２４と、ＣＰＵ２５と、ＶＢＩ修正部２６と、タイミングジェネレータ２７と、ＶＢＩ多重管理部２８と、多重部２９とが設けられている。
【００４０】
ハードディスクユニット５（図２）からＦＣボード１４及びマザーボード１５（図３）を介して出力ボード１２（１）や出力ボード１２（２）に送られたＨＤ−ＳＤＩ信号の圧縮ビデオデータは、デコーダ２０によってベースバンドのＨＤ−ＳＤＩ信号に伸張される。タイミングジェネレータ２１は、このベースバンドのＨＤ−ＳＤＩ信号中のＴＲＳ（Time Reference Signal）からフィールド信号，垂直同期信号及び水平同期信号を検出して、後段の信号処理に必要なタイミング信号（ＨＤ−ＳＤＩ信号のサンプリング周波数である７４ＭＨｚのタイミング信号）を生成する。
【００４１】
ＶＢＩ検出・抽出部２２は、デコーダ２０によって伸張されたベースバンドのＨＤ−ＳＤＩ信号の垂直ブランキング区間内の補助データの領域（例えば９〜２０ライン目または５７２〜５８３ライン目）から、ＶＢＩ（Vertical Blanking Interval）データのＩＤを検出する。下記の（１）〜（４）は、検出対象となるＶＢＩデータの種類の例である。
（１）ＳＭＰＴＥによって規定されている、素材の識別子であるＵＭＩＤ（Unique Material Identifier）
（２）ＳＭＰＴＥによって規定され、ＫＬＶ（Key-Length-Value）メタデータのひとつである“Term Value”を、“編集上重要なフレーム等のマーキング”に応用したもの。本出願人が「EssenceMarkＴＭ」と呼んでいる。なお、本出願人は、下記の論文を、「EssenceMarkＴＭ」を紹介する論文として公開している。
Yoshiaki Shibata, Takumi Yoshida and Mitsutoshi Shinkai,
"EssenceMark- SMPTE Standard-based Textual Video Marker -",
SMPTE Motion Imaging Journal, Vol.114, No.12, pp.463-473 (Dec 2005)
（３）ＡＲＩＢ（電波産業会）によって規定されている字幕データ等の補助データ
（４）北米で採用されている文字放送規格であるクローズドキャプション（Closed Caption）による文字データ
【００４２】
そして、補助データ領域から、ＩＤが検出されたＶＢＩデータを全て抽出する。また、補助データ領域のうちＶＢＩデータを抽出したラインに、ブランキング処理（黒色が表示されるデータに置換する処理）を施す。このブランキング処理は、ＶＢＩデータがダウンコンバートされることによって補助データ領域にノイズデータが生じることを防ぐことを目的としている。
【００４３】
メモリー２３は、タイミングジェネレータ２１からのタイミング信号で書込み動作を行うことにより、ＶＢＩ検出・抽出部２２によって抽出されたＶＢＩデータを記憶する。
【００４４】
ＣＰＵ２５は、制御端末２（図１）の設定操作に基づき、ダウンコンバータ２４のモード（スクイーズ，レターボックス等のダウンコンバートのタイプ）を指示する。ダウンコンバータ２４は、ＶＢＩ検出・抽出部２２によってＶＢＩデータを抽出されたＨＤ−ＳＤＩ信号を、ＣＰＵ２５から指示されたモードで、ベースバンドのＳＤ−ＳＤＩ信号にダウンコンバートする。
【００４５】
タイミングジェネレータ２７は、ダウンコンバータ２４によってダウンコンバートされたベースバンドのＳＤ−ＳＤＩ信号中のＴＲＳからフィールド信号，垂直同期信号及び水平同期信号を検出して、後段の信号処理に必要なタイミング信号（ＳＤ−ＳＤＩ信号のサンプリング周波数である２７ＭＨｚのタイミング信号）を生成する。
【００４６】
メモリー２３は、タイミングジェネレータ２７からのタイミング信号で読出し動作を行うことにより、記憶したＶＢＩデータをＦＩＦＯ形式で読み出してＶＢＩ修正部２６に送る。メモリー２３の記憶容量は、ダウンコンバータ２４のダウンコンバート処理に要する時間に対応して決定されている。具体的には、例えばダウンコンバート処理に要する時間が１フレーム分の時間である場合には、メモリー２３は１フレーム分の容量のバンクを２つ設けた構成とされ、１つのバンクへのＶＢＩデータの記憶が完了すると、そのバンクからＦＩＦＯ形式でＶＢＩデータを読み出すとともに、もう１つのバンクへの記憶を開始する、という動作を繰り返す。
【００４７】
ＣＰＵ２５は、制御端末２（図１）での設定操作（前述の（ｂ）ＶＢＩデータの修正）や、ＶＢＩデータの内容に応じて、ＶＢＩ修正部２６にＶＢＩデータの修正を指示する。制御端末２での修正操作の例としては、ＳＤ−ＳＤＩ信号にダウンコンバートした日時のデータをＶＢＩデータとして追加することや、ＡＲＩＢによる字幕データの文字サイズをＳＤ−ＳＤＩ信号用に小さくすること等が挙げられる。また、ＶＢＩデータの内容に応じた修正の例としては、ＡＲＩＢによる字幕データ中のＳＤＩＤ（Secondary Data Identifier）を、ＨＤ字幕を表す値からＳＤ字幕を表す値に変更すること等が挙げられる。
【００４８】
ＶＢＩ修正部２６は、ＣＰＵ２５からの指示に応じてＶＢＩデータを修正した後、多重部２９にＶＢＩデータを送る。
【００４９】
ＣＰＵ２５は、制御端末２（図１）での設定操作 前述の（ａ）ＶＢＩデータの再多重処理のオン／オフの指定及び（ｃ）各ＶＢＩデータを再多重するラインの指定）に応じて、再多重処理をオンにするかオフにするかをＶＢＩ多重管理部２８に指示するとともに、オンにする場合には、再多重するラインをＶＢＩ多重管理部２８に指示する。なお、ＳＤ−ＳＤＩ信号について制御端末２で指定可能なラインの範囲は、ＳＤ−ＳＤＩ信号の垂直ブランキング区間内のラインのうち、５２５／５９．９４ｉのＳＤ−ＳＤＩ信号では例えば１１〜１９ライン目または２７４〜２８２ライン目とし、６２５／５０ｉのＳＤ−ＳＤＩ信号では例えば９〜２２ライン目または３２２〜３３５ライン目とする。
【００５０】
ＶＢＩ多重管理部２８は、ＣＰＵ２５からの指示に応じて、タイミングジェネレータ２７からのタイミング信号から、ＶＢＩデータを再多重するためのトリガーを生成して多重部２９に送る。
【００５１】
多重部２９は、ＶＢＩ修正部２６から送られた各ＶＢＩデータを、ＶＢＩ多重管理部２８から与えられた当該ＶＢＩデータについてのトリガーのタイミングで、ダウンコンバータ２４によってダウンコンバートされたベースバンドのＳＤ−ＳＤＩ信号に再多重する。
【００５２】
出力ボード１２（１）や出力ボード１２（２）からは、この多重部２９から出力されたＳＤ−ＳＤＩ信号が出力される。
【００５３】
図５は、出力ボード１２（１）及び１２（２）によるＶＢＩデータの再多重処理フローを示す図である。図５Ａに示すような、ＶＢＩデータが多重されたベースバンドのＨＤ−ＳＤＩ信号（図４のデコーダ２０の出力）から、図５Ｂに示すようにＶＢＩデータが抽出されて一時的に保存される（図４のＶＢＩ検出・抽出部２２及びメモリー２３の処理）。そして、図５Ｃに示すように、ＶＢＩデータを除くベースバンドのＨＤ−ＳＤＩ信号がＳＤ−ＳＤＩ信号にダウンコンバートされた（図４のダウンコンバータ２４の処理）後、図５Ｄに示すように、このＳＤ−ＳＤＩ信号に、一時的に保存していたＶＢＩデータが再多重される（図４のＶＢＩ多重管理部２８及び多重部２９の処理）。
【００５４】
次に、図６は、図３の出力ボード１２（３）（アップコンバート用の出力ボード）上の回路を示すブロック図である。出力ボード１２（３）には、デコーダ３０と、タイミングジェネレータ３１と、ＶＢＩ検出・抽出部３２と、メモリー３３と、アップコンバータ３４と、ＣＰＵ３５と、ＶＢＩ修正部３６と、タイミングジェネレータ３７と、ＶＢＩ多重管理部３８と、多重部３９とが設けられている。
【００５５】
ハードディスクユニット５（図２）からＦＣボード１４及びマザーボード１５（図３）を介して出力ボード１２（３）に送られたＳＤ−ＳＤＩ信号の圧縮ビデオデータは、デコーダ３０によってベースバンドのＳＤ−ＳＤＩ信号に伸張される。タイミングジェネレータ３１は、このベースバンドのＳＤ−ＳＤＩ信号中のＴＲＳからフィールド信号，垂直同期信号及び水平同期信号を検出して、後段の信号処理に必要なタイミング信号（ＳＤ−ＳＤＩ信号のサンプリング周波数である２７ＭＨｚのタイミング信号）を生成する。
【００５６】
ＶＢＩ検出・抽出部３２は、デコーダ３０によって伸張されたベースバンドのＳＤ−ＳＤＩ信号の垂直ブランキング区間内の補助データの領域（５２５／５９．９４ｉのＳＤ−ＳＤＩ信号では例えば１１〜１９ライン目または２７４〜２８２ライン目、６２５／５０ｉのＳＤ−ＳＤＩ信号では例えば９〜２２ライン目または３２２〜３３５ライン目）から、ＶＢＩデータのＩＤを検出する。下記の（１）〜（４）は、検出対象となるＶＢＩデータの種類の例である。
（１）ＳＭＰＴＥによって規定されている、素材の識別子であるＵＭＩＤ
（２）ＳＭＰＴＥによって規定され、ＫＬＶ（Key-Length-Value）メタデータのひとつである“Term Value”を、“編集上重要なフレーム等のマーキング”に応用したもの。本出願人が「EssenceMarkＴＭ」と呼んでいる。
（３）ＡＲＩＢによって規定されている字幕データ等の補助データ
（４）北米で採用されている文字放送規格であるクローズドキャプションによる文字データ
【００５７】
そして、補助データ領域から、ＩＤが検出されたＶＢＩデータを全て抽出する。また、補助データ領域のうちＶＢＩデータを抽出したラインに、ブランキング処理を施す。
【００５８】
メモリー３３は、タイミングジェネレータ３１からのタイミング信号で書込み動作を行うことにより、ＶＢＩ検出・抽出部３２によって抽出されたＶＢＩデータを記憶する。
【００５９】
ＣＰＵ３５は、制御端末２（図１）の設定操作に基づき、アップコンバータ３４のモード（サイドパネル，上下カット等のアップコンバートのタイプ）を指示する。アップコンバータ３４は、ＶＢＩ検出・抽出部３２によってＶＢＩデータを抽出されたＳＤ−ＳＤＩ信号を、ＣＰＵ３５から指示されたモードで、ベースバンドのＨＤ−ＳＤＩ信号にアップコンバートする。
【００６０】
タイミングジェネレータ３７は、アップコンバータ３４によってアップコンバートされたベースバンドのＨＤ−ＳＤＩ信号中のＴＲＳからフィールド信号，垂直同期信号及び水平同期信号を検出して、後段の信号処理に必要なタイミング信号（ＨＤ−ＳＤＩ信号のサンプリング周波数である７４ＭＨｚのタイミング信号）を生成する。
【００６１】
メモリー３３は、タイミングジェネレータ３７からのタイミング信号で読出し動作を行うことにより、記憶したＶＢＩデータをＦＩＦＯ形式で読み出してＶＢＩ修正部３６に送る。メモリー３３の記憶容量は、アップコンバータ３４のアップコンバート処理に要する時間に対応して決定されている。具体的には、例えばアップコンバート処理に要する時間が１フレーム分の時間である場合には、メモリー３３は１フレーム分の容量のバンクを２つ設けた構成とされ、１つのバンクへのＶＢＩデータの記憶が完了すると、そのバンクからＦＩＦＯ形式でＶＢＩデータを読み出すとともに、もう１つのバンクへの記憶を開始する、という動作を繰り返す。
【００６２】
ＣＰＵ３５は、制御端末２（図１）での設定操作（前述の（ｂ）ＶＢＩデータの修正）や、ＶＢＩデータの内容に応じて、ＶＢＩ修正部３６にＶＢＩデータの修正を指示する。制御端末２での修正操作の例としては、ＨＤ−ＳＤＩ信号にアップコンバートした日時のデータをＶＢＩデータとして追加することや、ＡＲＩＢによる字幕データの文字サイズをＨＤ−ＳＤＩ信号用に大きくすること等が挙げられる。また、ＶＢＩデータの内容に応じた修正の例としては、ＡＲＩＢによる字幕データ中のＳＤＩＤを、ＳＤ字幕を表す値からＨＤ字幕を表す値に変更することや、非圧縮のＶＢＩデータが存在する場合に、ＨＤ−ＳＤＩ信号とＳＤ−ＳＤＩ信号との１ライン当たりのサンプル数の差に対応して、非圧縮のＶＢＩデータを補間処理する（非圧縮のＶＢＩデータの後側に、１ライン当たりのサンプル数の差の分だけ黒データを追加する）こと等が挙げられる。このうち、非圧縮のＶＢＩデータの補間処理は、ＳＤ−ＳＤＩ信号はＨＤ−ＳＤＩ信号と異なり垂直ブランキング区間内のラインも圧縮・伸張の対象となることから、圧縮・伸張によるＶＢＩデータの内容の破壊の防止を目的として圧縮・伸張対象としないライン（例えば１０本以下のライン）がＶＢＩデータの多重用に用意される場合を想定して、そうしたラインのＶＢＩデータのサンプル数をＨＤ−ＳＤＩ信号の１ライン当たりのサンプル数に合せるようにしたものである。
【００６３】
ＶＢＩ修正部３６は、ＣＰＵ３５からの指示に応じてＶＢＩデータを修正した後、多重部３９にＶＢＩデータを送る。
【００６４】
ＣＰＵ３５は、制御端末２（図１）での設定操作（前述の（ａ）ＶＢＩデータの再多重処理のオン／オフの指定及び（ｃ）各ＶＢＩデータを再多重するラインの指定）に応じて、再多重処理をオンにするかオフにするかをＶＢＩ多重管理部３８に指示するとともに、オンにする場合には、再多重するラインをＶＢＩ多重管理部３８に指示する。なお、ＨＤ−ＳＤＩ信号について制御端末２で指定可能なラインの範囲は、ＨＤ−ＳＤＩ信号の垂直ブランキング区間内のラインのうち、例えば９〜２０ライン目または５７２〜５８３ライン目とする。
【００６５】
ＶＢＩ多重管理部３８は、ＣＰＵ３５からの指示に応じて、タイミングジェネレータ３７からのタイミング信号から、ＶＢＩデータを再多重するためのトリガーを生成して多重部３９に送る。
【００６６】
多重部３９は、ＶＢＩ修正部３６から送られた各ＶＢＩデータを、ＶＢＩ多重管理部３８から与えられた当該ＶＢＩデータについてのトリガーのタイミングで、アップコンバータ３４によってアップコンバートされたベースバンドのＨＤ−ＳＤＩ信号に再多重する。
【００６７】
出力ボード１２（３）からは、この多重部３９から出力されたＨＤ−ＳＤＩ信号が出力される。
【００６８】
図７は、出力ボード１２（３）によるＶＢＩデータの再多重処理フローを示す図である。図７Ａに示すような、ＶＢＩデータが多重されたベースバンドのＳＤ−ＳＤＩ信号（図６のデコーダ３０の出力）から、図７Ｂに示すようにＶＢＩデータが抽出されて一時的に保存される（図６のＶＢＩ検出・抽出部３２及びメモリー３３の処理）。そして、図７Ｃに示すように、ＶＢＩデータを除くベースバンドのＳＤ−ＳＤＩ信号がＨＤ−ＳＤＩ信号にアップコンバートされた（図６のアップコンバータ３４の処理）後、図７Ｄに示すように、このＨＤ−ＳＤＩ信号に、一時的に保存していたＶＢＩデータが再多重される（図６のＶＢＩ多重管理部３８及び多重部３９の処理）。
【００６９】
このようにして、このビデオサーバー１によれば、入力ボード１１に入力してハードディスクユニット５に記録したＨＤ−ＳＤＩ信号を出力ボード１２（１）及び１２（２）から出力することにより、そのＨＤ−ＳＤＩ信号をＳＤ−ＳＤＩ信号にダウンコンバートして出力することができるとともに、入力したＨＤ−ＳＤＩ信号の垂直ブランキング区間内の補助データ領域に多重されていたＶＢＩデータを、ダウンコンバートした後のＳＤ−ＳＤＩ信号でも継承することができる。
【００７０】
また、入力ボード１１に入力してハードディスクユニット５に記録したＳＤ−ＳＤＩ信号を出力ボード１２（３）から出力することにより、そのＳＤ−ＳＤＩ信号をＨＤ−ＳＤＩ信号にアップコンバートして出力することができるとともに、入力したＳＤ−ＳＤＩ信号の垂直ブランキング区間内の補助データ領域に多重されていたＶＢＩデータを、アップコンバートした後のＨＤ−ＳＤＩ信号でも継承することができる。
【００７１】
また、ユーザーは、制御端末２を操作することにより、ＶＢＩデータの再多重処理のオン／オフや、ＶＢＩデータの修正の有無や、各ＶＢＩデータを再多重するラインを、任意に設定することができる。
【００７２】
最後に、ビデオサーバー１に、ＳＤ−ＳＤＩ信号に代えて、フォーマットやサンプリング周波数はＨＤ−ＳＤＩ信号と同じであるがビデオデータの画枠がＳＤ−ＳＤＩ信号と同じになっているベースバンドのデジタルビデオ信号（以下、「画枠はＳＤのＨＤ−ＳＤＩ信号」と呼ぶ）を入力させる変更例について説明する。
【００７３】
図８は、この変更例に係る出力ボード１２（３）を示すブロック図であり、出力ボード１２（３）上の回路構成自体は、デコーダ３０がＨＤ−ＳＤＩ信号用のデコーダ４０に入れ替わっている以外は図６に示したものと同じである。ハードディスクユニット５（図２）からＦＣボード１４及びマザーボード１５（図３）を介してこの出力ボード１２（３）に送られた「画枠はＳＤのＨＤ−ＳＤＩ信号」の圧縮ビデオデータは、デコーダ４０によってベースバンドの「画枠はＳＤのＨＤ−ＳＤＩ信号」に伸張される。タイミングジェネレータ４１は、このベースバンドの「画枠はＳＤのＨＤ−ＳＤＩ信号」中のＴＲＳからフィールド信号，垂直同期信号及び水平同期信号を検出して、後段の信号処理に必要なタイミング信号（ＨＤ−ＳＤＩ信号のサンプリング周波数である７４ＭＨｚのタイミング信号）を生成する。
【００７４】
ＶＢＩ検出・抽出部３２は、デコーダ４０によって伸張されたベースバンドの「画枠はＳＤのＨＤ−ＳＤＩ信号」の垂直ブランキング区間内の補助データの領域（例えば９〜２０ライン目または５７２〜５８３ライン目）から、ＶＢＩデータのＩＤを検出する。そして、補助データ領域から、ＩＤが検出されたＶＢＩデータを全て抽出する。また、補助データ領域のうちＶＢＩデータを抽出したラインに、ブランキング処理を施す。
【００７５】
メモリー３３は、タイミングジェネレータ３１からのタイミング信号で書込み動作を行うことにより、ＶＢＩ検出・抽出部３２によって抽出されたＶＢＩデータを記憶する。
【００７６】
ＣＰＵ３５は、アップコンバータ３４のモードとして、「画枠はＳＤのＨＤ−ＳＤＩ信号」を本来のＨＤ−ＳＤＩ信号にアップコンバートする（画枠をＨＤにする）モードを指示する。アップコンバータ３４は、ＶＢＩ検出・抽出部３２によってＶＢＩデータを抽出されたＨＤ−ＳＤＩ信号を、ＣＰＵ３５から指示されたモードで、ベースバンドのＨＤ−ＳＤＩ信号にアップコンバートする。
【００７７】
タイミングジェネレータ３７は、アップコンバータ３４によってアップコンバートされたベースバンドのＨＤ−ＳＤＩ信号中のＴＲＳからフィールド信号，垂直同期信号及び水平同期信号を検出して、後段の信号処理に必要なタイミング信号（ＨＤ−ＳＤＩ信号のサンプリング周波数である７４ＭＨｚのタイミング信号）を生成する。
【００７８】
メモリー３３は、タイミングジェネレータ３７からのタイミング信号（書込み動作時とは位相が異なるが、書込み動作時と同じ７４ＭＨｚのタイミング信号）で読出し動作を行うことにより、記憶したＶＢＩデータをＦＩＦＯ形式で読み出してＶＢＩ修正部３６に送る。各部の間で授受されるそれ以外の信号は、図６を用いて説明したのと同じである。
【００７９】
図９は、この変更例に係る出力ボード１２（３）によるＶＢＩデータの再多重処理フローを示す図である。図９Ａに示すような、ＶＢＩデータが多重された「画枠はＳＤのＨＤ−ＳＤＩ信号」（図６のデコーダ４０の出力）から、図９Ｂに示すようにＶＢＩデータが抽出されて一時的に保存される（図９のＶＢＩ検出・抽出部３２及びメモリー３３の処理）。そして、図９Ｃに示すように、ＶＢＩデータを除くベースバンドの「画枠はＳＤのＨＤ−ＳＤＩ信号」がＨＤ−ＳＤＩ信号にアップコンバートされた（図８のアップコンバータ３４の処理）後、図９Ｄに示すように、このＨＤ−ＳＤＩ信号に、一時的に保存していたＶＢＩデータが再多重される（図８のＶＢＩ多重管理部３８及び多重部３９の処理）。
【００８０】
この変更例に係る出力ボード１２（３）によれば、デコーダ４０以降の各部の処理を全て単一のサンプリング周波数（７４ＭＨｚ）で行うことができ、サンプリング周波数を変更する必要がないという利点がある。
【００８１】
なお、以上の例では、出力ボード１２（１）及び１２（２）がダウンコンバート用であり、出力ボード１２（３）がアップコンバート用であるとして説明を行ったが、ビデオサーバー１の入出力ユニット４にダウンコンバート用，アップコンバート用の出力ボード１２をそれぞれ何枚挿入するか（さらには、ダウンコンバート用，アップコンバート用の出力ボード１２と、ダウンコンバートやアップコンバートを行わない通常の出力ボードとを、何枚ずつ挿入するか）は、適宜決定してよい。
【００８２】
また、図４，図６及び図８に示した回路のうち、ＣＰＵとダウンコンバータとアップコンバータとを除いた全ての回路をＦＰＧＡ（Field Programmable Gate Array）で構成するとともに、ダウンコンバータとアップコンバータとを同じＡＳＩＣ（特定用途向け集積回路）で構成することによって、ダウンコンバート用の出力ボード１２とアップコンバート用の出力ボード１２とを同じ回路構成とし、ＦＰＧＡにダウンロードするソフトウェアとＡＳＩＣの初期設定とを切換えることにより、同じ回路構成の出力ボード１２をダウンコンバート用とアップコンバート用とに使い分けるようにしてもよい。
【００８３】
また、以上の例ではビデオサーバーに本発明を適用しているが、本発明に係る補助データの再多重装置はビデオサーバー以外にも適用してよい。
【図面の簡単な説明】
【００８４】
【図１】本発明を適用したビデオサーバーと制御端末とから成るシステムの全体構成を示すブロック図である。
【図２】本発明を適用したビデオサーバーの内部構成を示すブロック図である。
【図３】図２の入出力ユニットを構成する基板を示すブロック図である。
【図４】図３の出力ボード１２（１）及び１２（２）上の回路を示すブロック図である。
【図５】出力ボード１２（１）及び１２（２）によるＶＢＩデータの再多重処理フローを示す図である。
【図６】図３の出力ボード１２（３）上の回路を示すブロック図である。
【図７】出力ボード１２（３）によるＶＢＩデータの再多重処理フローを示す図である。
【図８】変更例に係る出力ボード１２（３）を示すブロック図である。
【図９】変更例に係るＶＢＩデータの再多重処理フローを示す図である。
【符号の説明】
【００８５】
１  ビデオサーバー、  ２  制御端末、  １２（１）〜１２（３）  出力ボード、  ２０  デコーダ、  ２１  タイミングジェネレータ、  ２２  ＶＢＩ検出・抽出部、  ２３  メモリー、  ２４  ダウンコンバータ、  ２５  ＣＰＵ、  ２６  ＶＢＩ修正部、  ２７  タイミングジェネレータ、  ２８  ＶＢＩ多重管理部、  ２９  多重部、  ３０  デコーダ、  ３１  タイミングジェネレータ、  ３２  ＶＢＩ検出・抽出部、  ３３  メモリー、  ３４  アップコンバータ、  ３５  ＣＰＵ、  ３６  ＶＢＩ修正部、  ３７  タイミングジェネレータ、  ３８  ＶＢＩ多重管理部、  ３９  多重部、  ４０  デコーダ
【図１】
2007318647.tif 000003
【図２】
2007318647.tif 000004
【図３】
2007318647.tif 000005
【図４】
2007318647.tif 000006
【図５】
2007318647.tif 000007
【図６】
2007318647.tif 000008
【図７】
2007318647.tif 000009
【図８】
2007318647.tif 000010
【図９】
2007318647.tif 000011